(57)【要約】      （修正有）【課題】家屋内の収納スペースにおける出入口に設けたドアの内方スペースを有効活用し、ドア自体に各種の服飾品小物等を収納、支持できるラッキングドアを提供する。【解決手段】収納スペースの出入口に設けるドアであって、ドア本体１の裏面に設けた支持溝２に埋め込み状に配置する複数のレールバー１０と、支持収納する各種物品Ｇに対応適合する支持部２５を有して、レールバー１０に着脱自在に連繋するアタッチメント２０とを備えて成る。レールバー１０は、コ字状のレール本体１１、上方開放溝状の支持係止溝１２、開口下部に向かって突出形成した支持突部１３を備え、支持突部１３には、レール本体１１側に傾斜している接合縁を、開口部外方側では支持溝２の内側面に係止する係止縁を設ける。アタッチメント２０は、レールバー１０に係合する係合支持部２１、各種物品Ｇ等に対応適合して支持する支持部２５を備える。【選択図】図１
0003202554.tif 000002
【実用新案登録請求の範囲】
【請求項１】
収納スペースＳの出入口に設けられて揺動開閉されるドアであって、ドア本体の収納スペース側である裏面に水平方向に沿ってドア本体に設けられた支持溝に埋め込み状に配置されたレールバーと、支持収納する各種物品に対応適合する支持部を有して、レールバーに着脱自在に連繋されるアタッチメントとを備えて成ることを特徴とするラッキングドア。
【請求項２】
前記レールバーは、断面でほぼコ字状のレール本体と、開口下部に形成された上方開放の溝状に形成された支持係止溝と、開口上部に開口下部に向かって突出されている支持突部とを備え、支持突部には、レール本体側では上方に至るに伴い次第にレール本体側に傾斜している接合縁を、開口部外方側では前記支持溝の内側面に係止している係止縁を有して成る請求項１に記載のラッキングドア。
【請求項３】
前記アタッチメントは、前記レールバー内に装入係合されて、アタッチメント自体を支持させる係合支持部と、各種物品をそれぞれに対応適合して支持する支持部とを備え、係合支持部はレールバーにおける支持係止溝内に嵌め入れられる嵌合突部と、同じくレールバーにおける接合縁に当接される傾斜している当接係合部とを有して成る請求項１または２に記載のラッキングドア。
【考案の詳細な説明】
【技術分野】
【０００１】
この考案は、例えばクローゼット、納戸等の家屋内の収納スペースにおいて、出入口で揺動開閉されるドアの内方スペースを有効活用できるように、ドアの内側に各種の服飾品小物等を収納、支持等する所定のフック、トレイ、ラック、ハンガーその他を取り付けられる支持レールを備えたラッキングドアに関する。
【背景技術】
【０００２】
従来から、一般家屋、マンションその他における居住用の住居において、衣服類、夏季・冬季等に使用する季節用品その他を収納、保管するクローゼット、納戸等の収納スペースが設けられることが多く、またこの収納スペースにおける出入口の多くは揺動式に開閉されるドアとしている。すると、その収納スペースの出入口の内外では、ドアを開閉させるためにある程度の広さを有する開閉空間が必要であるが、この開閉空間は収納用スペースとしては利用できないから、ある意味では無駄なスペースとなっている。
【０００３】
こうした点から従来、例えば特許文献１にあるような収納戸棚付ドアユニット、特許文献２にあるような物品保持装置および建具等によって、スペースの有効利用を図るべくした収納構造が提案されている。特許文献１のドアユニットはドア枠体の上方部位に備品等を収納し得る収納空間を形成して成り、特許文献２の建具は建具本体の裏面に窪み状に設けた凹部に起伏自在な物品保持装置を設け、この物品保持装置は左右の側方支持部材相互間に複数本の正面バーを横架することによってバー式の棚として成る。
【先行技術文献】
【特許文献】
【０００４】
【特許文献１】実開昭６３−１４７９１号公報
【特許文献２】特開２０１０−０３１４６９号公報
【考案の概要】
【考案が解決しようとする課題】
【０００５】
ただ、これらの従来の収納構造は、特許文献１にあるようにドア枠体の上方部位に形成しても、ドアの開閉空間自体を活用するものではない。また、特許文献２にあるような物品保持装置は起伏自在なバー式の棚を設けても、収納・保持できる物品、備品等が制約され、汎用性があるものではない。
【０００６】
そこでこの考案は上述したような従来存した諸事情に鑑み案出されたもので、家屋・マンション等におけるクローゼット等の収納スペースの出入口のドアの開閉空間を有効に活用でき、またドア自体に各種の物品、備品等を収納・保持させてもドアの開閉操作自体に支障もなく、さらには各種の異なる物品、備品用に各別に用意された保持用のアタッチメントの着脱、交換等を可能にして汎用性に富むものとした開き戸タイプのラッキングドアを提供することにある。
【課題を解決するための手段】
【０００７】
上述した課題を解決するため、この考案にあっては、後述する考案を実施するための形態における使用符号を付記して説明すると、収納スペースＳの出入口に設けられて揺動開閉されるドアであって、ドア本体１の収納スペースＳ側である裏面に水平方向に沿ってドア本体１に設けられた支持溝２に埋め込み状に配置されたレールバー１０と、支持収納する各種物品Ｇに対応適合する支持部２５を有して、レールバー１０に着脱自在に連繋されるアタッチメント２０とを備えて成ることを特徴とする。
レールバー１０は、断面でほぼコ字状のレール本体１１と、開口下部に形成された上方開放の溝状に形成された支持係止溝１２と、開口上部に開口下部に向かって突出されている支持突部１３とを備え、支持突部１３には、レール本体１１側では上方に至るに伴い次第にレール本体１１側に傾斜している接合縁１４を、開口部外方側では前記支持溝２の内側面に係止している係止縁１５を有して成る。
アタッチメント２０は、レールバー１０内に装入係合されて、アタッチメント２０自体を支持させる係合支持部２１と、各種物品Ｇをそれぞれに対応適合して支持する支持部２５とを備え、係合支持部２１はレールバー１０における支持係止溝１２内に嵌め入れられる嵌合突部２２と、同じくレールバー１０における接合縁１４に当接される傾斜している当接係合部２３とを有して成る。
【０００８】
以上のように構成されたこの考案に係るラッキングドアにあって、ドア本体１に設けられているレールバー１０に連繋された所定のアタッチメント２０によって、アタッチメント２０における支持部２５の態様に対応適合する各種物品Ｇを支持し、収納させる。
各種物品Ｇの支持、収納は、ドア本体１における収納スペースＳ側である裏面であることで、収納スペースＳにおけるドア開閉空間を有効に利用させ、いわゆる収納上のデッドスペースを生じさせない。
レールバー１０に対するアタッチメント２０の連繋は、アタッチメント２０の当接係合部２３をレールバー１０の接合縁１４に宛がい、嵌合突部２２を支持係止溝１２にやや強制的に嵌合させれば良く、迅速、簡易に連繋作業を行わせる。また、こうすることで、支持係止溝１２には嵌合突部２２が嵌合し、傾斜している接合縁１４には当接係合部２３が当接係合することで、アタッチメント２０に負荷される各種物品Ｇの下方への荷重を確実、安定的に支え、脱落させたり、落下させたりしない。
アタッチメント２０の支持部２５は、各種物品Ｇを支持、収納するに対応適合していることで、それらに応じた簡易な態様で各種物品Ｇを支持、収納させる。
【考案の効果】
【０００９】
この考案は以上説明したように構成されているため、家屋・マンション等におけるクローゼット等の収納スペースＳの出入口のドアとして設置使用することで、ドアの開閉スペース特に収納スペースＳ側のデットスペースを各種物品Ｇの収納・支持に有効に活用することができる。またドア自体に、例えば服飾品・衣服類、その小物その他の各種物品Ｇ、さらには備品等を収納・保持させてもドアの開閉操作自体に支障を生じることもなく、さらには各種の異なる物品、備品用に各別に用意された収納・支持用のアタッチメント２０の着脱、交換等も可能であるから、汎用性にも富む。
【００１０】
すなわち、これはこの考案において、収納スペースＳの出入口に設けられるドアであって、ドア本体１の裏面に設けた支持溝２内に埋め込み配置されたレールバー１０と、支持収納する各種物品Ｇに対応適合する支持部２５を有して、レールバー１０に着脱自在に連繋されるアタッチメント２０とを備えて成るからであり、これによって、収納スペースＳ側において設けられるドアの開閉空間を閉鎖時では収納・支持空間として有効に活用できる。
【００１１】
また、レールバー１０は、コ字状のレール本体１１、上方開放溝状の支持係止溝１２、開口下部に向かって突出された支持突部１３を備え、支持突部１３には、レール本体１１側に傾斜している接合縁１４、前記支持溝２に係止している係止縁１５を有して成るから、アタッチメント２０における係合支持部２１の嵌合突部２２が支持係止溝１２に嵌合し、同じく当接係合部２３が係止縁１５に当接することで、各種のアタッチメント２０をレールバー１０に確実、安定的に連繋支持できる。
【００１２】
しかも、アタッチメント２０の係合支持部２１では、アタッチメント２０自体を持ち上げるように傾斜させた状態で当接係合部２３を係止縁１５の裏面側に装入した後、嵌合突部２２を支持係止溝１２内に嵌合させるように、アタッチメント２０自体を押し下げるようにすることで、簡単にアタッチメント２０をレールバー１０に連繋でき、連繋装着作業も簡易である。
【００１３】
さらに、アタッチメント２０は、各種物品Ｇ等をそれぞれに対応適合して支持する支持部２５を備えているから、支持部２５の態様に応じて、例えばネクタイ、アクセサリー、シューズ、ハンガーを介しての衣服類その他を支持、収納でき、各種物品Ｇに応じてのアタッチメント２０の選択、交換も可能であるから、汎用性に富み、便利である。
【００１４】
ドア本体１の裏面側で、レールバー１０、アタッチメント２０を介して各種物品Ｇを支持、収納させるから、ドア本体１が外開き式である場合には、ドア本体１を開放することで収納スペースＳに出入りすることなく、必要とする各種物品Ｇを取り出したり、支持収納したりできる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す要部断面図である。
【図２】同じく要部の拡大断面図である。
【図３】同じく収納・保持用の各種のアタッチメントを取り付けたときの斜視図である。
【図４】同じく他のアタッチメントを取り付けたときの斜視図である。
【図５】同じく収納スペースの一例における平面図である。
【考案を実施するための形態】
【００１７】
以下、図面を参照してこの考案を実施するための一形態を説明すると、図において示される符号１はドア本体であり、例えば一般家屋、マンションその他における住居等に設けられている衣服、季節用品等の収納・保管用に区画形成されているクローゼット・納戸等の収納スペースＳの出入口に揺動式に開閉自在に設けられている。このドア本体１は、所定のドア枠体に蝶番等を介して揺動自在に支持されていて、例えば外開き式にして設けられている（図５参照）。
【００１８】
ドア本体１の裏側（収納スペースＳ側）である内側面には、水平方向に沿っていて側方が開放た複数本の溝状のレールバー１０が、側方に向けられているこのレールバー１０の開口部がドア本体１自体の内側面にほぼ面一状となるようにして、ドア本体１の内側面に水平方向に沿って形成された支持溝２内に強制的に埋め込まれている。このレールバー１０は図示のように、断面でほぼコ字状のレール本体１１と、開口下部に形成された上方開放の溝状に形成された支持係止溝１２と、開口上部に開口下部に向かって突出されている支持突部１３とを備える。また、支持突部１３には、レール本体１１側では上方に至るに伴い次第にレール本体１１側に下向きに傾斜している接合縁１４を、開口部外方側では前記支持溝２の内側面に係止している係止縁１５を有して成り、レールバー１０自体は例えばアルミニウム合金を素材とする型押し材として一般的製法によって形成されている。
【００１９】
また、このレールバー１０のレール本体１１における上部面、下部面には、レールバー１０自体の支持溝２内への強制的挿入を可能にするも、逆方向には抵抗を生じさせて抜脱を阻止する断面でレ字状となっている複数条の係合条部１６を形成してある。
【００２０】
なお、このレールバー１０は図示のように、ドア本体１における上下方向で所定間隔毎に３本にして配置構成されるも、本数、その配置間隔等は図示例に限定されないことは勿論である。また、レールバー１０を複数本で配置することで、多段的な収納・支持箇所を増加構成でき、アタッチメント２０との組合せで多様な服飾品、小物類の収納・支持を一層便利なものとする。
【００２１】
また、このレールバー１０には、収納・保持等する各種物品Ｇを支持するためのアタッチメント２０が着脱、交換自在に連繋されるようになっている、このアタッチメント２０は、ドア本体１に着脱、交換可能にしてレールバー１０内に半ば強制的に装入されることで、アタッチメント２０毎に異なる支持形態によって各種物品Ｇを収納・保管するものとしてある。アタッチメント２０は、レールバー１０内に装入係合されて、アタッチメント２０自体を支持させる係合支持部２１と、各種物品Ｇ等をそれぞれに対応適合して支持する支持部２５とを備えて成る。
【００２２】
このアタッチメント２０における係合支持部２１は図示のように、レールバー１０における支持係止溝１２内にやや強制的にでも嵌め入れられる嵌合突部２２と、同じくレールバー１０における接合縁１４に当接される傾斜している当接係合部２３とを有して成る。そして、アタッチメント２０自体における支持部２５を上方に向けてアタッチメント２０全体を傾斜した状態にして、当接係合部２３をレールバー１０内に装入し、装入後に嵌合突部２２を支持係止溝１２内にやや強制的にでも嵌め入れるようにアタッチメント２０の全体を押し下げることで、係合支持部２１によってアタッチメント２０自体がレールバー１０に連繋支持されるようにしてある。
【００２３】
また、アタッチメント２０における支持部２５は、収納支持する各種物品Ｇに対応適合するよう種々な態様のものとして形成されている。例えば図１、図３に示すようにネクタイハンガーとしたもので、係合支持部２１によってレールバー１０に支持されて吊り下げ状となっている正面ほぼ縦長矩形状のアタッチメント本体の前面に斜め下方に向かって支持プレート２６を設け、この支持プレート２６の両側面に複数本の支持バー２７を配して成る。図３に示すようにフックとしたもので、アタッチメント本体の前面に鉤状部を折曲形成した鉤状フック２８としたり、あるいは先端がボール状を呈するよう突出形成したボールフック２９としたりする。
【００２４】
図４に示すようにハンガーアームとしたもので、アタッチメント本体の前面に斜め下方に向かって設けた支持プレート２６に複数のハンガー係止孔３１を配列形成して成る。また図４に示すようにハンガーラックとしたもので、所定間隔を隔てて左右に配した係合支持部２１のそれぞれに設けた左右の連結バー３２の相互間に係止バー３３を横架して成る。同じく図４に示すように収納トレイとしたもので、背面に係合支持部２１を備えたトレイ状あるいはボックス状に形成して成り、例えば各種のアクセサリー、靴その他を収納保持できるようにしてある。更に図示を省略したがスラックスハンガーとすることもでき、所定間隔を隔てて左右に配した係合支持部のそれぞれに設けた左右の連結バーの相互間に複数本の係止バーを横架し、必要に応じてこの係止バーに挟持具を連繋して成る。
【００２５】
なお、いずれの支持部２５にあっても支持する各種物品Ｇによってこれに対応適合する形態のものとして形成されるのであり、図示を省略したが、例えばペーパーホルダーその他とすることができ、これらに限定されるものではない。
【００２６】
次にこれの使用の一例を説明すると、図に示すようにドア本体１の裏側には上下方向で所定間隔を隔てて複数のレールバー１０が予め埋め込み状にして配置されており、収納保持すべき各種物品Ｇに対応して選択された所定の形態を呈する支持部２５を備えたアタッチメント２０が係合支持部２１によってレールバー１０に連繋される。連繋作業は図１に示すように、アタッチメント２０における支持部２５が上方に位置するようにして傾斜させた状態で係合支持部２１をレールバー１０内に装入し、レールバー１０の係止縁１５に接合縁１４を当接させ、支持係止溝１２内に嵌合突部２２を嵌め入れるようにアタッチメント２０全体を押し下げるのである（図１参照）。また、必要に応じてレールバー１０の開口部における空隙を閉塞するパッキン材１７をやや強制的に挿入しても良い。
【００２７】
その後、アタッチメント２０の支持部２５に所定の各種物品Ｇを支持し、収納することで使用するのであり、クローゼット等の収納スペースＳの出入口に設けられた揺動開閉式のドア本体１を開閉させるために必要な開閉空間が、ドア本体１が閉じられているときには収納スペースとして有効利用できる（図５参照）。
【００２８】
また、本出願人において、ドア本体１の重量、各種物品Ｇの総重量、その他の負荷の合計を約３０Ｋｇとしてドア本体１の開閉耐久試験を実施したところ、開閉数が約１０万回を超過してもドア本体１、ドア蝶番、ドア枠のいずれにも損傷がなく、試験実施後であってもドア本体１は何らの障害もなく円滑に開閉できた。
【符号の説明】
【００２９】
Ｇ…各種物品                            Ｓ…収納スペース
１…ドア本体                            ２…支持溝
１０…レールバー                        １１…レール本体
１２…支持係止溝                        １３…支持突部
１４…接合縁                            １５…係止縁
１６…係合条部                          １７…パッキン材
２０…アタッチメント                    ２１…係合支持部
２２…嵌合突部                          ２３…当接係合部
２５…支持部                            ２６…支持プレート
２７…支持バー                          ２８…鉤状フック
２９…ボールフック                      ３１…ハンガー係止孔
３２…連結バー                          ３３…係止バー
【図１】
0003202554.tif 000003
【図２】
0003202554.tif 000004
【図３】
0003202554.tif 000005
【図４】
0003202554.tif 000006
【図５】
0003202554.tif 000007